(57)【要約】【課題】表板部に凹みが形成され難い、けらばカバー、そのけらばカバーを備えたけらば構造およびけらばカバーの製造方法を提供する。【解決手段】けらばカバー３は、次の第１の特徴を備える。第１の特徴では、けらばカバー３は、屋根下地２の妻側端部を上方から覆う上板部３３と、上板部３３から連続して設けられ、屋根下地２の妻側端部および屋根下地２の妻側端部の下部に設けられる破風板１１を側方から覆う外側板部４と、を備える。外側板部４は、その一部が破風板１１側に凹んでいる溝部４１と、溝部４１以外の部分である表板部４３と、を有する。表板部４３は、それぞれが溝部４１の奥行き方向とは反対側に凸に湾曲している。【選択図】図１
2017133258.tif 000002
【特許請求の範囲】
【請求項１】
屋根下地の妻側端部を上方から覆う上板部と、前記上板部から連続して設けられ、前記屋根下地の妻側端部および前記屋根下地の妻側端部の下部に設けられる破風板を側方から覆う外側板部と、を備え、
前記外側板部は、その一部が前記破風板側に凹んでいる溝部と、前記溝部以外の部分である表板部と、を有し、
前記表板部は、前記溝部の奥行き方向とは反対側に凸に湾曲していることを特徴とするけらばカバー。
【請求項２】
屋根下地と、前記屋根下地に設けられる屋根材と、前記屋根下地の妻側端部の下部に設けられる破風板と、前記破風板に設けられるけらばカバーと、を備え、
前記けらばカバーは、前記屋根下地の妻側端部を上方から覆う上板部と、前記上板部から連続して設けられ、前記屋根下地の妻側端部および前記破風板を側方から覆う外側板部と、を備え、
前記外側板部は、その一部が前記破風板側に凹んでいる溝部と、前記溝部以外の部分である表板部と、前記溝部に挿入され、前記破風板に打ち込まれている固定具と、を有し、
前記表板部は、前記溝部の奥行き方向とは反対側に凸に湾曲していることを特徴とするけらば構造。
【請求項３】
屋根下地の妻側端部を上方から覆う上板部と、前記上板部から連続して設けられ、前記屋根下地の妻側端部および前記屋根下地の妻側端部の下部に設けられる破風板を側方から覆う外側板部と、を備え、
前記外側板部は、その一部が前記破風板側に凹んでいる溝部と、前記溝部以外の部分である表板部と、を有するけらばカバーの製造方法であって、
曲げ加工による前記溝部の成形の後、曲げ加工による前記表板部の前記溝部の奥行き方向とは反対側に凸に湾曲した形状への成形および曲げ加工による前記上板部の成形が行われることを特徴とするけらばカバーの製造方法。
【発明の詳細な説明】
【技術分野】
【０００１】
本発明は、けらばカバー、そのけらばカバーを備えたけらば構造およびけらばカバーの製造方法に関する。
【背景技術】
【０００２】
従来、屋根下地の妻側端部と破風板を側方から覆う外側板部を備えたけらばカバーが知られている（例えば特許文献１参照）。また、外側板部は、破風板側に凹む溝部と、溝部以外の部分の表板部と、を有する。
【先行技術文献】
【特許文献】
【０００３】
【特許文献１】特開２０１５−０６８０９３号公報
【発明の概要】
【発明が解決しようとする課題】
【０００４】
特許文献１に記載のけらばカバーでは、例えば、溝部の成形のばらつきや、破風板の不陸により、溝部にその長さ方向の収縮が発生することで、表板部に破風板側に突出する凹みが形成される場合があった。
【０００５】
上記従来の問題点に鑑みて発明された本発明の目的は、表板部の凹みの発生を抑制する、けらばカバー、そのけらばカバーを備えたけらば構造およびけらばカバーの製造方法を提供することである。
【課題を解決するための手段】
【０００６】
上記目的を達成するために、本発明のけらばカバーは、以下のような構成を備える。
【０００７】
けらばカバーは、屋根下地の妻側端部を上方から覆う上板部と、前記上板部から連続して設けられ、前記屋根下地の妻側端部および前記屋根下地の妻側端部の下部に設けられる破風板を側方から覆う外側板部と、を備え、前記外側板部は、その一部が前記破風板側に凹んでいる溝部と、前記溝部以外の部分である表板部と、を有し、前記表板部は、前記溝部の奥行き方向とは反対側に凸に湾曲していることを特徴とする。
【０００８】
本発明のけらば構造は、以下のような構成を備える。
【０００９】
けらば構造は、屋根下地と、前記屋根下地に設けられる屋根材と、前記屋根下地の妻側端部の下部に設けられる破風板と、前記破風板に設けられるけらばカバーと、を備え、前記けらばカバーは、前記屋根下地の妻側端部を上方から覆う上板部と、前記上板部から連続して設けられ、前記屋根下地の妻側端部および前記破風板を側方から覆う外側板部と、を備え、前記外側板部は、その一部が前記破風板側に凹んでいる溝部と、前記溝部以外の部分である表板部と、前記溝部に挿入され、前記破風板に打ち込まれている固定具と、を有し、前記表板部は、前記溝部の奥行き方向とは反対側に凸に湾曲していることを特徴とする。
【００１０】
本発明のけらばカバーの製造方法は、以下のような構成を備える。
【００１１】
けらばカバーは、屋根下地の妻側端部を上方から覆う上板部と、前記上板部から連続して設けられ、前記屋根下地の妻側端部および前記屋根下地の妻側端部の下部に設けられる破風板を側方から覆う外側板部と、を備え、前記外側板部は、その一部が前記破風板側に凹んでいる溝部と、前記溝部以外の部分である表板部と、を有する。
【００１２】
けらばカバーの製造方法は、曲げ加工による前記溝部の成形の後、曲げ加工による前記表板部の前記溝部の奥行き方向とは反対側に凸に湾曲した形状への成形および曲げ加工による前記上板部の成形が行われることを特徴とする。
【発明の効果】
【００１３】
本発明のけらばカバーでは、表板部に凹みが形成され難い。
【００１４】
本発明のけらば構造では、表板部の凹みが形成され難く、屋根の妻側端部の外観が損なわれ難い。
【００１５】
本発明のけらばカバーの製造方法では、表板部の凹みの発生が抑制される。
【図面の簡単な説明】
【００１６】
【図１】図１は本発明の一実施形態に係るけらば構造の縦断面図である。
【発明を実施するための形態】
【００１７】
＜実施形態＞
以下に示す本発明の一実施形態は、溝部が形成されたけらばカバー、そのけらばカバーを備えたけらば構造およびけらばカバーの製造方法に関する。
【００１８】
（構成の説明）
以下、添付図面に基づき本実施形態のけらば構造１およびけらば構造１が備えるけらばカバー３について説明する。
【００１９】
本実施形態のけらば構造１は、例えば切妻屋根や片流れ屋根の妻側端部の構造である。けらば構造１は、図１に示すように、屋根下地２、破風板１１、屋根材１２およびけらばカバー３を備える。
【００２０】
屋根下地２は、屋根材１２を建物に取付けるための基礎となる。屋根下地２は、垂木２１、野地板２２、下葺き材２３、のぼり木２４および水切り部材２５を有する。
【００２１】
垂木２１は、屋根において最も高い所に位置する棟木と最も低い所に位置する軒桁とに固定されることで傾斜している。この傾斜により屋根は傾斜し、その傾斜方向を本実施形態では屋根勾配方向とする。そして、屋根勾配方向および上下方向に直角な方向を軒方向とする。さらに、軒方向において、屋根の中央側に向かう方向を第１方向Ｄ１とし、妻側に向かう方向を第２方向Ｄ２とする。
【００２２】
野地板２２は、垂木２１の上に配置される。
【００２３】
下葺き材２３は、野地板２２の上に配置される。
【００２４】
のぼり木２４は、野地板２２の第２方向Ｄ２側の端部の上端部に固定される。のぼり木２４は、野地板２２の棟側端部から軒側端部の全長に亘って設けられる。のぼり木２４は、屋根勾配方向と平行に傾斜する。
【００２５】
水切り部材２５は、図１に示すように、下葺き材２３の上に載置される水切り板２５１と、水切り板２５１をのぼり木２４に取り付けるための取付け部２５２と、を有する。
【００２６】
水切り板２５１には、第１方向Ｄ１側の端部に突条２５１ａが形成される。また、水切り板２５１の第１方向Ｄ１側端部は、上側から第２方向Ｄ２に向かって折り返される。
【００２７】
破風板１１は、野地板２２の第２方向Ｄ２側の端部の下端部に固定される。破風板１１は、野地板２２の棟側端部から軒側端部までの全長に亘って設けられる。破風板１１は、屋根勾配方向と平行に傾斜する。
【００２８】
屋根材１２は、野地板２２の上に複数取付けられる。本実施形態の屋根材１２は、軒方向に、凹部と凸部とが繰り返し形成された凹凸屋根材となっている。
【００２９】
けらばカバー３は、図１に示すように、破風板１１に取り付けられる。けらばカバー３は、屋根勾配方向に直交する断面形状が略Ｃ字状である。けらばカバー３は、薄い金属板に対して曲げ加工を施すことにより形成される。ここで、本実施形態の曲げ加工には、プレス加工、ベンダー加工といった加工が含まれる。けらばカバー３の材質には、例えば鋼板（特に溶融５５％アルミニウム―亜鉛合金めっき鋼板）やステンレスが用いられる。
【００３０】
けらばカバー３は、下板部３１、外側板部４、内側板部５０および上板部３３を有する。
【００３１】
下板部３１は、破風板１１の下端よりも下側に配置される。下板部３１は、破風板１１を下方から覆う。下板部３１は、屋根勾配方向に長く形成され、軒方向に短く形成される。
【００３２】
下板部３１では、その第１方向Ｄ１側の端部に水返し片３１１が設けられる。水返し片３１１は、下板部３１の第１方向Ｄ１側の端部から上方に突出して設けられる。水返し片３１１では、その突出先端部が第２方向Ｄ２側から下方に向けて折り返される。水返し片３１１では、その折り返された部分が破風板１１に接触する。
【００３３】
けらばカバー３において、下板部３１の第２方向Ｄ２側の端部から上方に向けて延出される板部を外側板部４とする。外側板部４は、屋根勾配方向に長く、上下方向に短く形成される。外側板部４は、破風板１１より第２方向Ｄ２側に位置する。外側板部４は、破風板１１、野地板２２の妻側端部およびのぼり木２４を第２方向Ｄ２側から覆う。
【００３４】
外側板部４では、第１方向Ｄ１に凹む溝部４１が形成される。溝部４１は、外側板部４に複数形成される。溝部４１は、屋根勾配方向に直交する断面形状が略Ｃ字状となっている。ここで、溝部４１において、奥行き方向とは第１方向Ｄ１となっている。溝部４１は、屋根勾配方向に長く形成される。ここで、溝部４１は、けらばカバー３の屋根勾配方向の全長に亘って形成される。
【００３５】
溝部４１は、図１に示すように、第２方向Ｄ２側から視て奥面となる奥壁部４１１と、下面となる下壁部４１２と、上面となる上壁部４１３と、を有する。
【００３６】
奥壁部４１１は、第１方向Ｄ１側の面が破風板１１の第２方向Ｄ２側の面に接触する。下壁部４１２は、奥壁部４１１の下端部から第２方向Ｄ２に延出される。上壁部４１３は、奥壁部４１１の上端部から第２方向Ｄ２に延出される。
【００３７】
溝部４１において、奥壁部４１１、下壁部４１２および上壁部４１３で形成される空間を空間４２とする。溝部４１の空間４２には、けらばカバー３を破風板１１に固定するための固定具６０が挿入される。ここで、固定具６０は、釘やビス等である。
【００３８】
外側板部４では、破風板１１の下端部から上端部に対応する範囲に、第１溝部４１４と第２溝部４１５とが形成される。ここで、第１溝部４１４は、第２溝部４１５よりも上側に位置する。
【００３９】
第１溝部４１４は、破風板１１の下端部から上端部に対応する部分の上側に設けられる。第１溝部４１４の内部には、空間４２１が形成される。第２溝部４１５は、第１溝部４１４の下端部から破風板１１の下端部に対応する部分の下側に形成される。第２溝部４１５の内部には、空間４２２が形成される。
【００４０】
外側板部４において、図１に示すように、第１溝部４１４および第２溝部４１５以外の部分は、複数の表板部４３で構成される。
【００４１】
外側板部４では、その上端部から第１溝部４１４の上端部までの表板部４３を第１表板部４３１とする。外側板部４では、第１溝部４１４の下端部から第２溝部４１５の上端部までの表板部４３を第２表板部４３２とする。外側板部４では、第２溝部４１５の下端部から外側板部４の下端部までの表板部４３を第３表板部４３３とする。
【００４２】
第１表板部４３１は、屋根勾配方向に長く、上下方向に短く形成される。第１表板部４３１は、第１方向Ｄ１にかかる撓みに対する剛性を向上させるため、第２方向Ｄ２に凸に湾曲した形状に形成される。
【００４３】
本実施形態の第１表板部４３１は、その上端部から中央部分に行く程第２方向Ｄ２側に位置するように湾曲する。また、第１表板部４３１は、その中央部分から下端部に行く程第１方向Ｄ１側に位置するように湾曲する。第１表板部４３１の曲率半径は、例えば約Ｒ１０００となる。
【００４４】
第２表板部４３２は、屋根勾配方向に長く、上下方向に短く形成される。第２表板部４３２は、第１方向Ｄ１にかかる撓みに対する剛性を向上させるため、第２方向Ｄ２に凸に湾曲した形状に形成される。
【００４５】
本実施形態の第２表板部４３２は、その上端部から中央部分に行く程第２方向Ｄ２側に位置するように湾曲する。また、第２表板部４３２は、その中央部分から下端部に行く程第１方向Ｄ１側に位置するように湾曲する。第２表板部４３２の曲率半径は、例えば約Ｒ１０００となる。
【００４６】
第３表板部４３３は、屋根勾配方向に長く、上下方向に短く形成される。第３表板部４３３は、第１方向Ｄ１にかかる撓みに対する剛性を向上させるため、第２方向Ｄ２に凸に湾曲した形状に形成される。
【００４７】
本実施形態の第３表板部４３３は、その上端部から中央部分に行く程第２方向Ｄ２側に位置するように湾曲する。また、第３表板部４３３は、その中央部分から下端部に行く程第１方向Ｄ１側に位置するように湾曲する。第３表板部４３３の曲率半径は、例えば約Ｒ１０００となる。
【００４８】
上板部３３は、外側板部４の上端部から第１方向Ｄ１に向かって設けられる。上板部３３は、屋根勾配方向に長く、軒方向に短く形成される。上板部３３は、のぼり木２４の上端よりも上側に配置される。上板部３３は、のぼり木２４および屋根材１２の妻側端部を上方から覆う。
【００４９】
けらばカバー３において、上板部３３の第１方向Ｄ１側の端部から下方に向かって突出する板部を内側板部５０とする。内側板部５０は、屋根勾配方向に長く、上下方向に短く形成される。
【００５０】
内側板部５０は、屋根材１２の妻側端部よりも上方に位置すると共に、のぼり木２４よりも第１方向Ｄ１側に位置する。内側板部５０は、のぼり木２４の第１方向Ｄ１側の側面の上側を覆う。
【００５１】
けらばカバー３では、上記した下板部３１、外側板部４、内側板部５０および上板部３３が一体に形成される。けらば構造１では、複数のけらばカバー３を屋根勾配方向に複数並べて、破風板１１および屋根下地２の妻側端部が覆われる。ここで、けらばカバー３は、屋根勾配方向と平行に傾斜する。
【００５２】
上記した構成を有する本実施形態のけらばカバー３は、以下の方法により製造される。
【００５３】
けらばカバー３の材料となる薄い平板状の金属板に、けらばカバー３の溝部４１に対応する部分に対して、プレス加工やベンダー加工により金属板に溝部４１が形成される第１成形工程が行われる。溝部４１をベンダー加工により形成する場合、特に表板部４３に凹みが発生し難くなり好ましい。
【００５４】
第１成形工程の後、金属板における第１表板部４３１、第２表板部４３２および第３表板部４３３に対応する部分に対して、ベンダー加工により所定の曲率半径（例えば約Ｒ１０００）に湾曲させる第２成形工程が行われる。
【００５５】
第２成形工程の後、金属板における上板部３３および下板部３１に対応する部分に対して、ベンダー加工により金属板を折り曲げて上板部３３および下板部３１が形成される第３成形工程が行われる。
【００５６】
このような製造方法により、けらばカバー３は製造される。
【００５７】
本実施形態のけらばカバー３およびけらば構造１の構成は、上記した一態様に限定されず、以下に示す態様であってもよい。
【００５８】
けらばカバー３には、鋼板やステンレスに限定されず、他の金属が用いられてもよい。けらばカバー３の厚みは、約０．３５ｍｍとなっているが、その厚みは限定されない。けらばカバー３では、内側板部５０が設けられなくともよい。
【００５９】
溝部４１は、２か所に形成されているが、１カ所でもよいし、それ以上の数が形成されてもよい。溝部４１は、屋根勾配方向に直交する断面形状が略Ｃ字状となっているが、その形状は他の形状であってもよい。
【００６０】
溝部４１では、その奥壁部４１１の第１方向Ｄ１側の面が破風板１１の第２方向Ｄ２側の面に直接接触していなくともよく、例えば別部材を間に挟んでいてもよい。
【００６１】
外側板部４に設けられる複数の表板部４３の数は、本実施形態では溝部４１が２か所に形成されるため３カ所であるが、外側板部４に設けられる複数の表板部４３の数は、２ヵ所であってもよいし、それ以上の数であってもよい。
【００６２】
第１表板部４３１では、その湾曲した形状において、中央部分が最も第２方向Ｄ２側に位置する部分となっているが、最も第２方向Ｄ２側に位置する部分は中央部分でなくともよい。また、第１表板部４３１の曲率半径は、約Ｒ１０００に限定されない。
【００６３】
第２表板部４３２では、その湾曲した形状において、その中央部分が最も第２方向Ｄ２側に位置する部分となっているが、最も第２方向Ｄ２側に位置する部分は中央部分でなくともよい。また、第２表板部４３２の曲率半径は、約Ｒ１０００に限定されない。
【００６４】
第３表板部４３３では、その湾曲した形状において、その中央部分が最も第２方向Ｄ２側に位置する部分となっているが、最も第２方向Ｄ２側に位置する部分は中央部分でなくともよい。また、第３表板部４３３の曲率半径は、約Ｒ１０００に限定されない。
【００６５】
屋根下地２は、垂木２１、野地板２２、下葺き材２３、のぼり木２４および水切り部材２５だけでなく他の構成を有してもよい。
【００６６】
野地板２２は、薄い木板を貼り合わせた合板で形成されるが、木毛や木片を圧縮成型した板材であってもよい。
【００６７】
下葺き材２３は、アスファルトルーフィングで形成されるが、それ以外の防水シートが用いられてもよい。
【００６８】
水切り板２５１には、突条２５１ａが二条形成されているが、突条２５１ａの数は二条に限定されない。
【００６９】
屋根材１２は、金属屋根材であるが、例えば断面凹凸状をしたルーフ材、折板屋根材、窯業系の平瓦であってもよい。
【００７０】
けらばカバー３の製造方法では、第１成形工程、第２成形工程および第３成形工程の順で行われるのが好ましいが、第２成形工程と第３成形工程の順番は逆になってもよい。
【００７１】
（効果）
上記した構成を備えるけらばカバー３では、表板部４３が第２方向Ｄ２に凸に湾曲した形状に形成されることで、表板部４３の撓みに対する剛性を向上させることができる。さらに、けらばカバー３では、表板部４３が第２方向Ｄ２に凸に湾曲しているので、表板部４３が、屋根下地２および破風板１１に干渉し難くなる。
【００７２】
また、けらば構造１では、例えば、不陸が大きな破風板１１にけらばカバー３を取り付けた場合、溝部４１に固定具６０が打ち込まれていることで、溝部４１に不均一な応力が発生し、表板部４３にも不均一な応力が発生する可能性がある。このとき、表板部４３が座屈して凹んでしまう可能性がある。
【００７３】
このような場合でも、けらばカバー３の表板部４３は、溝部４１の奥行き方向とは反対側に凸に湾曲しているため、表板部４３は座屈耐性が高くなり凹み難くなる。これにより、屋根の妻側端部の外観を損なうことを防止できる。
【００７４】
また、上記したけらばカバー３を製造する方法では、金属板にプレス加工により溝部４１が形成される。この場合、例えば以下のような作用で表板部４３に凹みが発生する可能性がある。
【００７５】
プレス加工で溝部４１を形成するときに、溝部４１には長さ方向で不均一な伸縮が生じ、溝部４１に不均一な応力が発生する場合がある。このような溝部４１の不均一な応力によって、表板部４３にも不均一な応力が残留する場合がある。このような不均一な応力が残留した表板部４３を破風板１１に固定すると、残留応力によって表板部４３が座屈して凹みが発生する可能性がある。
【００７６】
そのため、けらばカバー３の製造方法では、表板部４３を第２方向Ｄ２に凸に湾曲させた形状とする第２成形工程を行なうことで、表板部４３の凹みを解消できると共に、表板部４３の剛性を向上させることができる。さらに、ベンダー加工で溝部４１を形成することで、溝部４１に不均一な応力が発生し難くなり、表板部４３の凹みが特に発生し難くなる。ここで、表板部４３を湾曲させることでその凹みが解消されることの相乗効果により、表板部４３の凹みがより発生し難くなる。
【００７７】
以上説明したように、上記したけらばカバー３は以下に示す構成を備える。
【００７８】
けらばカバー３は、次の第１の特徴を備える。第１の特徴では、けらばカバー３は、屋根下地２の妻側端部を上方から覆う上板部３３と、上板部３３から連続して設けられ、屋根下地２の妻側端部および屋根下地２の妻側端部の下部に設けられる破風板１１を側方から覆う外側板部４と、を備える。
【００７９】
外側板部４は、その一部が破風板１１側に凹んでいる溝部４１と、溝部４１以外の部分である表板部４３と、を有する。
【００８０】
表板部４３は、それぞれが溝部４１の奥行き方向とは反対側に凸に湾曲している。
【００８１】
この第１の特徴を有するけらばカバー３によれば、表板部４３を湾曲させることで表板部４３の剛性が向上するので、表板部４３に凹みが生じることを抑制できる。
【００８２】
また、上記したけらば構造１は、次の第２の特徴を備える。第２の特徴では、けらば構造１は、屋根下地２と、屋根下地２に設けられる屋根材１２と、屋根下地２の妻側端部の下部に設けられる破風板１１と、破風板１１に設けられるけらばカバー３と、を備える。
【００８３】
けらばカバー３は、屋根下地２の妻側端部を上方から覆う上板部３３と、上板部３３から連続して設けられ、屋根下地２の妻側端部および破風板１１を側方から覆う外側板部４と、を備える。
【００８４】
外側板部４は、その一部が破風板１１側に凹んでいる溝部４１と、溝部４１以外の部分である表板部４３と、溝部４１に挿入され、破風板１１に打ち込まれている固定具６０と、を有する。
【００８５】
表板部４３は、溝部４１の奥行き方向とは反対側に凸に湾曲している。
【００８６】
この第２の特徴を有するけらば構造１によれば、表板部４３を湾曲させて剛性を向上させることで、破風板１１の不陸が大きい場合などにより、表板部４３に不均一な応力が発生しても、表板部４３が凹み難くなる。
【００８７】
また、上記したけらばカバー３の製造方法は、次の第３の特徴を備える。第３の特徴では、けらばカバー３は、屋根下地２の妻側端部を上方から覆う上板部３３と、上板部３３から連続して設けられ、屋根下地２の妻側端部および屋根下地２の妻側端部の下部に設けられる破風板１１を側方から覆う外側板部４と、を備える。
【００８８】
外側板部４は、その一部が破風板１１側に凹んでいる溝部４１と、溝部４１以外の部分である表板部４３と、を有する。
【００８９】
表板部４３は、溝部４１の奥行き方向とは反対側に凸に湾曲している。
【００９０】
けらばカバー３の製造方法は、曲げ加工による溝部４１の成形の後、曲げ加工による表板部４３の溝部４１の奥行き方向とは反対側に凸に湾曲した形状への成形および曲げ加工による上板部３３の成形が行われる。
【００９１】
この第３の特徴を有するけらばカバー３の製造方法によれば、曲げ加工で溝部４１を形成し、溝部４１に不均一な応力が発生し、表板部４３にも不均一な応力が発生しても、表板部４３を湾曲させることで、表板部４３に凹みが発生し難くなる。
【符号の説明】
【００９２】
１        けらば構造
１１      破風板
２        屋根下地
３        けらばカバー
３２      側板部
４        外側板部
４１      溝部
４３      表板部
６０      固定具
【図１】
2017133258.tif 000003